(57)【要約】【課題】  歩行時の足の運びをスムーズに行なうことができるフート・ウェア及びソックスを提供する。【解決手段】  ソックス１は、足部２の爪先部２ｂを２以上に分割し、爪先部２ｂと口ゴム部４とを連結し、長さ方向の伸びが幅方向の伸びと比較して小さく編成された第１の引き上げ支持領域５を、足部２の足甲部２ｃに編成して構成され、足甲部２ｃの両側部から足首背面側３ａとを結んで環状として爪先部２ｂに連結する第２の引き上げ支持領域６を配設し、第２の引き上げ支持領域６は、配設方向の伸びを他の領域より極力抑制して編成して構成され、足甲部２ｃのコース方向の編み目数が足底部２ｄのコース方向の編み目数と比較して少なく編成されている。【選択図】        図１
2008031615.tif 000002
【特許請求の範囲】
【請求項１】
少なくとも足部を備えたフート・ウェアであって、
着用状態において、前記足部の足底部の長さ方向と爪先部の爪先方向とのなす角が０°より大きく、８０°以下であることを特徴とするフート・ウェア。
【請求項２】
少なくとも足部を備えたフート・ウェアであって、
着用状態において、身部の長さ方向と前記足部の足底部の長さ方向とのなす角が７０°以上、９０°より小さいことを特徴とするフート・ウェア。
【請求項３】
少なくとも足部を備えたフート・ウェアであって、
前記足部の足甲部における長さ方向の伸長率が、前記足部の足底部における長さ方向の伸長率と比較して、小さいことを特徴とするフート・ウェア。
【請求項４】
請求項１乃至３のいずれかに記載のフート・ウェアであって、
前記足部の足甲部は、樹脂を含浸させた糸によって編地を編成、編地に伸び止めテープを縫付、編地に粘着テープを貼着、又は編地に樹脂を塗着、取着若しくは吹着けすることにより、長さ方向の伸長率を縮小させることを特徴とするフート・ウェア。
【請求項５】
前記請求項１乃至４のいずれかに記載のフート・ウェアであって、
０．５ｋｇｆの荷重を、足甲部と足底部との長さ方向に加えた場合に、
足甲部の長さ方向の伸長率に対する足底部の長さ方向の伸長率の比が１．８以上であることを特徴とするフート・ウェア。
【請求項６】
前記請求項５に記載のフート・ウェアであって、
０．５ｋｇｆの荷重を、足甲部と背面部との長さ方向に加えた場合に、
足甲部の長さ方向の伸長率に対する背面部の長さ方向の伸長率の比が３．０以上であることを特徴とするフート・ウェア。
【請求項７】
足部の爪先部と口ゴム部とを連結し、長さ方向の伸びが幅方向の伸びと比較して小さく編成された第１の引き上げ支持領域を、前記足部の足甲部に編成して構成され、
前記足甲部のコース方向の編み目数が足底部のコース方向の編み目数と比較して少なく編成されることを特徴とするソックス。
【請求項８】
足部の足甲部の両側部から足首背面側とを結んで環状として前記足部の爪先部に連結する第２の引き上げ支持領域を配設し、
前記第２の引き上げ支持領域は、当該配設方向の伸びを他の領域より極力抑制して編成して構成され、
前記足甲部のコース方向の編み目数が足底部のコース方向の編み目数と比較して少なく編成されることを特徴とするソックス。
【請求項９】
足部の爪先部と口ゴム部とを連結し、長さ方向の伸びが幅方向の伸びと比較して小さく編成された第１の引き上げ支持領域を、前記足部の足甲部に編成して構成され、
前記足甲部の両側部から足首背面側とを結んで環状として前記爪先部に連結する第２の引き上げ支持領域を配設し、前記第２の引き上げ支持領域が、当該配設方向の伸びを他の領域より極力抑制して編成して構成され、
前記足甲部のコース方向の編み目数が足底部のコース方向の編み目数と比較して少なく編成されることを特徴とするソックス。
【請求項１０】
前記請求項９に記載のソックスであって、
中足骨及び／又は中足趾節関節に対応する部分を周回し、前記第１の引き上げ支持領域及び第２の引き上げ支持領域の幅方向の伸びと比較して、周方向の伸びが小さい係止領域を有し、
前記第１の引き上げ支持領域及び第２の引き上げ支持領域は、前記係止領域を介して前記爪先部に連結することを特徴とするソックス。
【発明の詳細な説明】
【技術分野】
【０００１】
この発明は、着用者の足の保護、保温又は装飾的な機能を果たすフート・ウェア、丸編で編成された筒状編地から得られるソックスに関するものであり、特に、着用者の歩行性を高めたフート・ウェア及びソックスに関するものである。
【背景技術】
【０００２】
ソックスは、一般的に、丸編又は平編により、足部の足甲部及び足底部が同一の編み目数によって編成され、編み立てられている。
【０００３】
従来、シューズと足のフィット性やサポート性を高めるために種々のソックスが使用されてきた。従来のソックスにおいては、中足趾節関節と船状骨を拘束するために、中足趾節関節から船状骨にかけての足背部側にパイル組織を設けて厚みを持たせた拘束部を有することを特徴とする。この部分を厚くすることで、シューズを着用したときに特に中足趾節関節から船状骨に加わる面圧をその他の部分よりも大きくでき、激しい動きをしたときにも、足がシューズ内部で足先方向や捻れ方向にずれることを防止することができる（例えば、特許文献１参照）。
【０００４】
また、歩行による疲労防止などの点から足の締め付け具合が部分的に異なるように構成されているソックスが知られている。例えば、健康面の観点から、土踏まず部分に締め付け部分を構成した靴下が知られている（例えば、特許文献２参照）。
【特許文献１】特開２００３−２２７００５号公報（第３頁、図１）
【特許文献２】特開平１１−２０６９４８号公報
【発明の開示】
【発明が解決しようとする課題】
【０００５】
しかしながら、従来の靴下は、土踏まず部分の締め付け圧力を他の部分と異なる圧力に構成することにより着用による疲労軽減の効果が得られるものの、運動機能が低下しているお年寄りなどに起こりやすい尖足による歩行の不具合を改善することはできなかった。尖足が起こると、つまづきやすくなるだけでなく、爪先部分に力が入らないことから、踵で着地し、ついで足裏全体で体重を支え、さらに爪先を支点に踵を上げるという一連の歩行動作が困難となることから、着用者の歩行性を高めることができるフート・ウェアが切望されていた。
【０００６】
この発明は、上述のような課題を解決するためになされたもので、歩行時の足の運びをスムーズに行なうことができるフート・ウェア及びソックスを提供することを目的とする。
【課題を解決するための手段】
【０００７】
この発明に係るフート・ウェアにおいては、少なくとも足部を備えたフート・ウェアであって、着用状態において、前記足部の足底部の長さ方向と爪先部の爪先方向とのなす角が０°より大きく、８０°以下である。
この発明に係るフート・ウェアにおいては、少なくとも足部を備えたフート・ウェアであって、着用状態において、身部の長さ方向と前記足部の足底部の長さ方向とのなす角が７０°以上、９０°より小さいものである。
【０００８】
また、この発明に係るフート・ウェアにおいては、少なくとも足部を備えたフート・ウェアであって、前記足部の足甲部における長さ方向の伸長率が、前記足部の足底部における長さ方向の伸長率と比較して、小さいものである。
【０００９】
また、この発明に係るフート・ウェアにおいては、必要に応じて、前記足部の足甲部は、樹脂を含浸させた糸によって編地を編成、編地に伸び止めテープを縫付、編地に粘着テープを貼着、又は編地に樹脂を塗着、取着若しくは吹着けすることにより、長さ方向の伸長率を縮小させるものである。
【００１０】
さらに、この発明に係るフート・ウェアにおいては、必要に応じて、０．５ｋｇｆの荷重を、前記足部の足甲部又は足底部の長さ方向に加えた場合に、前記足甲部の長さ方向の伸長率に対する前記足底部の長さ方向の伸長率の比が、１．８以上となる。
【００１１】
また、この発明に係るフート・ウェアにおいては、必要に応じて、０．５ｋｇｆの荷重を、前記足部の足甲部又は背面部の長さ方向に加えた場合に、前記足甲部の長さ方向の伸長率に対する前記背面部の長さ方向の伸長率の比が、３．０以上となる。
【００１２】
また、この発明に係るソックスにおいては、足部の爪先部と口ゴム部とを連結し、長さ方向の伸びが幅方向の伸びと比較して小さく編成された第１の引き上げ支持領域を、前記足部の足甲部に編成して構成され、前記足甲部のコース方向の編み目数が足底部のコース方向の編み目数と比較して少なく編成されている。
【００１３】
また、この発明に係るソックスにおいては、足部の足甲部の両側部から足首背面側を結んで環状として前記足部の爪先部に連結する第２の引き上げ支持領域を配設し、前記第２の引き上げ支持領域は、当該配設方向の伸びを他の領域より極力抑制して編成して構成され、前記足甲部のコース方向の編み目数が足底部のコース方向の編み目数と比較して少なく編成されている。
【００１４】
また、この発明に係るソックスにおいては、足部の爪先部と口ゴム部とを連結し、長さ方向の伸びが幅方向の伸びと比較して小さく編成された第１の引き上げ支持領域を、前記足部の足甲部に編成して構成され、前記足甲部の両側部から足首背面側を結んで環状として前記爪先部に連結する第２の引き上げ支持領域を配設し、前記第２の引き上げ支持領域が、当該配設方向の伸びを他の領域より極力抑制して編成して構成され、前記足甲部のコース方向の編み目数が足底部のコース方向の編み目数と比較して少なく編成されている。
【００１５】
さらに、この発明に係るソックスにおいては、必要に応じて、中足骨及び／又は中足趾節関節に対応する部分を周回し、前記第１の引き上げ支持領域及び第２の引き上げ支持領域の幅方向の伸びと比較して、周方向の伸びが小さい係止領域を有し、前記第１の引き上げ支持領域及び第２の引き上げ支持領域は、前記係止領域を介して前記爪先部に連結するものである。
【発明の効果】
【００１６】
この発明に係るフート・ウェアにおいては、少なくとも足部を備えたフート・ウェアであって、着用状態において、前記足部の足底部の長さ方向と爪先部の爪先方向とのなす角が０°より大きく、８０°以下であることにより、フート・ウェアの着用者の足指（中足趾節関節）の関節可動域内において、着用者の足指（中足趾節関節）を伸展させることができ、爪先が地面に対して鋭角で着地することを抑制し、着用者の歩行時のつまずきを防止することができる。
【００１７】
この発明に係るフート・ウェアにおいては、少なくとも足部を備えたフート・ウェアであって、着用状態において、身部の長さ方向と前記足部の足底部の長さ方向とのなす角が７０°以上、９０°より小さいことにより、フート・ウェアの着用者の足首の関節可動域内において、着用者の足首を背屈させることができ、地面に対して爪先よりも先に踵が着地することになり、着用者の歩行時のつまずきを防止することができる。
【００１８】
また、この発明に係るフート・ウェアにおいては、少なくとも足部を備えたフート・ウェアであって、前記足部の足甲部における長さ方向の伸長率が、前記足部の足底部における長さ方向の伸長率と比較して、小さいことにより、着用者の足指（中足趾節関節）を伸展させることができ、爪先が地面に対して鋭角で着地することを抑制し、着用者の歩行時のつまずきを防止することができる。
【００１９】
また、この発明に係るフート・ウェアにおいては、必要に応じて、前記足部の足甲部は、樹脂を含浸させた糸によって編地を編成、編地に伸び止めテープを縫付、編地に粘着テープを貼着、又は編地に樹脂を塗着、取着若しくは吹着けすることにより、長さ方向の伸長率を縮小させることにより、容易に、フート・ウェアの足部の足甲部における長さ方向の伸長率を、足部の足底部における長さ方向の伸長率と比較して、小さくすることができる。
【００２０】
さらに、この発明に係るフート・ウェアにおいては、必要に応じて、０．５ｋｇｆの荷重を、前記足部の足甲部又は足底部の長さ方向に加えた場合に、前記足甲部の長さ方向の伸長率に対する前記足底部の長さ方向の伸長率の比が、１．８以上となることにより、フート・ウェアを着用した足の指を足裏に対して引き上げることができる、足甲部の長さ方向の伸長率に対する足底部の長さ方向の伸長率の比における範囲を特定することができる。
【００２１】
また、この発明に係るフート・ウェアにおいては、必要に応じて、０．５ｋｇｆの荷重を、前記足部の足甲部又は背面部の長さ方向に加えた場合に、前記足甲部の長さ方向の伸長率に対する前記背面部の長さ方向の伸長率の比が、３．０以上となることにより、フート・ウェアを着用した足の指を足裏に対して引き上げることができる、足甲部の長さ方向の伸長率に対する背面部の長さ方向の伸長率の比における範囲を特定することができるうえに、足底部と背面部とを一体として作用させ、フート・ウェアを着用した足の指を足裏に対して引き上げる作用効果をさらに高めることができる。
【００２２】
また、この発明に係るソックスにおいては、足部の爪先部と口ゴム部とを連結し、長さ方向の伸びが幅方向の伸びと比較して小さく編成された第１の引き上げ支持領域が前記足部の足甲部に編成して構成され、さらに前記足甲部のコース方向の編み目数が足底部のコース方向の編み目数と比較して少なく編成されていることにより、ソックスを着用した足の指を足裏に対して引き上げ、爪先が地面に対して鋭角で着地することを抑制し、着用者の歩行時のつまずきを防止することができる。
【００２３】
また、この発明に係るソックスにおいては、足部の足甲部の両側部から足首背面側を結んで環状として前記足部の爪先部に連結する第２の引き上げ支持領域が配設され、前記第２の引き上げ支持領域は、当該配設方向の伸びを他の領域より極力抑制して編成して構成され、さらに前記足甲部のコース方向の編み目数が足底部のコース方向の編み目数と比較して少なく編成されていることにより、ソックスを着用した足の指を足裏に対して引き上げる効果を高め、爪先が地面に対して鋭角で着地することを抑制し、着用者の歩行時のつまずきを防止することができる。
【００２４】
また、この発明に係るソックスにおいては、足部の爪先部と口ゴム部とを連結し、長さ方向の伸びが幅方向の伸びと比較して小さく編成された第１の引き上げ支持領域が、前記足部の足甲部に編成して構成され、前記足甲部の両側部から足首背面側を結んで環状として前記爪先部に連結する第２の引き上げ支持領域が配設され、前記第２の引き上げ支持領域が、当該配設方向の伸びを他の領域より極力抑制して編成して構成され、前記足甲部のコース方向の編み目数が足底部のコース方向の編み目数と比較して少なく編成されていることにより、ソックスを着用した足の指を足裏に対して引き上げる効果をさらに高め、爪先が地面に対して鋭角で着地することを抑制し、着用者の歩行時のつまずきを防止することができる。
【００２５】
さらに、この発明に係るソックスにおいては、中足骨及び／又は中足趾節関節に対応する部分を周回し、前記第１の引き上げ支持領域及び第２の引き上げ支持領域の幅方向の伸びと比較して、周方向の伸びが小さい係止領域を有し、前記第１の引き上げ支持領域及び第２の引き上げ支持領域は、前記係止領域を介して前記爪先部に連結することにより、着用者の中足骨及び／又は中足趾節関節を係止領域で適度に圧迫することで、隣接する足指間の間隔を広げ、安定した歩行を行なうことができる。また、着用者の足甲に対するソックスのずれを防止して、第１の引き上げ支持領域又は第２の引き上げ支持領域によって足の指を足裏に対して引き上げた状態を保持することができる。
【発明を実施するための最良の形態】
【００２６】
（本発明の第１の実施形態）
図１はこの発明を実施するための第１の実施形態における右足用のソックスを右上側からみた右上側斜視図、図２はこの発明を実施するための第１の実施形態における左足用のソックスを右下側からみた右下側斜視図、図３は図１記載の右足用のソックスを着用した場合の作用効果を説明するための説明図である。
【００２７】
図１及び図２において、この第１の実施形態に係るソックス１は、丸編により編成された筒状編地のうち着用者の踵及び爪先に対応する部分を縫製加工してソックス形状とする構成である。
ソックス１は、足部２、身部３及び口ゴム部４の三部に大別される。
【００２８】
足部２は、かかと成形部分であるかかと部２ａと、爪先成形部分である爪先部２ｂと、かかと部２ａ及び爪先部２ｂの図示しないゴアラインの先端を結ぶ線より上の部分である足甲部２ｃと、かかと部２ａ及び爪先部２ｂの図示しないゴアラインの先端を結ぶ線より下の部分である足底部２ｄとを備え、足甲部２ｃのコース方向の編み目数が足底部２ｄのコース方向の編み目数と比較して少なく編成して構成している。なお、足甲部２ｃのコース方向の編み目数を減らす技法として、例えば、タック編技法やミス編技法などが挙げられる。
【００２９】
第１の引き上げ支持領域５は、足甲部２ｃにおいて爪先部２ｂと口ゴム部４とを連結し、長さ方向Ｌ１の伸びが幅方向Ｗ１の伸びと比較して小さく編成して構成している。なお、長さ方向Ｌ１の伸びを無くすことが好ましい。
【００３０】
また、第２の引き上げ支持領域６は、足甲部２ｃの左右両側部から口ゴム部４下端及びかかと部２ａ上端間（以下、足首背面側３ａと称す）を結んで環状として爪先部２ｂに連結し、長さ方向Ｌ２の伸びが幅方向Ｗ２の伸びと比較して小さく編成して構成している。なお、長さ方向Ｌ２の伸びを無くすことが好ましい。
【００３１】
第２の引き上げ支持領域６内の全ての領域において、長さ方向Ｌ２の伸びが幅方向Ｗ２の伸びと比較して小さく編成して構成することが理想的であるが、ソックス１は丸編により編成された筒状編地であり、第２の引き上げ支持領域６は、足部２と身部３とに跨って延在しているために、第２の引き上げ支持領域６内を同一の編組織によって編み上げると、足部２と身部３とにおいて長さ方向の伸びと幅方向の伸びとが異なってしまう。
【００３２】
このため、丸編により編成されたソックス１においては、配設方向の伸びを他の領域より極力抑制するように編成して構成している。なお、この第１の実施形態においては、第２の引き上げ支持領域６を、足部２に後述するタック編・添え糸編地２２を用い、身部３に後述する第１の鹿の子編・添え糸編地２３ａを用いている。
【００３３】
また、第２の引き上げ支持領域６は、口ゴム部４に連結することなく、足甲部２ｃの左右両側部から足首背面側３ａを結んで環状として爪先部２ｂに連結することで、第２の引き上げ支持領域６による爪先部２ｂを引き上げる効果を奏するが、第２の引き上げ支持領域６を口ゴム部４に連結することで、第２の引き上げ支持領域６による爪先部２ｂを引き上げる効果をより高めることができるので好ましい。
【００３４】
係止領域７は、着用者の中足骨及び／又は中足趾節関節に対応する部分を周回し、第１の引き上げ支持領域５及び第２の引き上げ支持領域６の幅方向Ｗ１，Ｗ２の伸びと比較して、周方向Ｈの伸びを小さく編成して構成している。
【００３５】
なお、係止領域７は足部２を周回しているために、第１の引き上げ支持領域５及び第２の引き上げ支持領域６は、係止領域７と交差することとなり、係止領域７を介して爪先部２ｂに連結することとなる。
【００３６】
また、着用者の足の親指と親指以外の４つの指とを分けて爪先部２ｂに装着できるように、爪先部２ｂを２つに分割することで、第１の引き上げ支持領域５及び第２の引き上げ支持領域６に対するアンカー（錨）としての機能を持たせている。
【００３７】
なお、この第１の実施形態においては、着用者の足の親指と親指以外の４つの足指とを分けて爪先部２ｂに装着できるように、爪先部２ｂを２つに分割しているが、歩行時に爪先部２ｂから足指が抜けることを防止できるのであればこの形状に限られるものではなく、足部２の爪先部２ｂを２以上に分割し構成してもよいし、親指に限らずに１つの足指と他の４つの足指とを分割し構成してもよいし、複数の足指と他の複数の足指とを分割し構成してもよい。また、爪先部２ｂを分割することなく構成してもよい。
【００３８】
このように、足甲部２ｃのコース方向の編み目数が足底部２ｄのコース方向の編み目数と比較して少なく編成して構成され、長さ方向の伸びを無くした第１の引き上げ支持領域５及び／又は第２の引き上げ支持領域６によって、ソックス１を着用し直立不動の姿勢をとった場合に、爪先部２ｂを引き上げ、身部３と足底部２ｄとのかかと部２ａにおけるなす角をほぼ９０°に保つことできる。特に、図３に示すように、第１の引き上げ支持領域５は、爪先部２ｂから口ゴム部４に向かう方向（Ａ方向）に力が働き、第２の引き上げ支持領域６は、足甲部２ｃの側部における爪先部２ｂから足首背面側３ａに向かう方向（Ｂ方向）に力が働くことで、足底部２ｄから足甲部２ｃに向かう方向（Ｃ方向）に着用者の爪先を引き上げる効果をより高めることが可能となる。
【００３９】
つぎに、この第１の実施形態に係るソックス１の具体的な編組織について説明する。
まず、各編地の名称を定義する。
平編・パイル編地２０は、平編をなす地編糸に他の編糸（パイル糸）を添えて給糸し、地編糸を表面に、パイル糸を裏面に現すように地編糸とともにパイル糸を編み込み、パイル糸のシンカ・ループを拡大してリング状にパイルを出したパイル編からなる編地である。
【００４０】
タック編地２１は、生地を編成するときに、一時ある編み目を作らないで、次のコースを編むときに一緒に編み目を作る編地である。なお、この第１の実施形態においては、度目とのバランスを考慮して、タックする回数を４回としているが、第１の引き上げ支持領域５及び／又は第２の引き上げ支持領域６による爪先部２ｂを引き上げる効果を奏することができるのであれば、この回数に限られるものではない。また、一般的な靴下であれば、７回までタックすることが可能である。
【００４１】
タック編・添え糸編地２２は、タック編をなす地編糸に他の編糸（ウーリーナイロン糸）を添えて給糸し、地編糸を表面に、ウーリーナイロン糸を裏面に現すように地編糸とともにウーリーナイロン糸を編み込んだ添え糸編からなる編地である。
【００４２】
鹿の子編・添え糸編地２３（第１の鹿の子編・添え糸編地２３ａ、第２の鹿の子編・添え糸編地２３ｂ）は、鹿の子編をなす地編糸に他の編糸（ウーリーナイロン糸）を添えて給糸し、地編糸を表面に、ウーリーナイロン糸を裏面に現すように地編糸とともにウーリーナイロン糸を編み込んだ添え糸編からなる編地である。
【００４３】
第１の平編・添え糸編地２４は、平編の編地中に編み目を作らずにゴム糸及びウーリーナイロン糸を編み込んだ挿入編からなる編地である。
タック編・第１の平編・添え糸編地２５は、第１の平編・添え糸編地２４を編成するときに、一時ある編み目を作らないで、次のコースを編むときに一緒に編み目を作るタック編を施した編地である。
【００４４】
第２の平編・添え糸編地２６は、平編の編地中に編み目を作らずにゴム糸及びウーリーナイロン糸を編み込んだ挿入編からなる編地である。
タック編・第２の平編・添え糸編地２７は、第２の平編・添え糸編地２６を編成するときに、一時ある編み目を作らないで、次のコースを編むときに一緒に編み目を作るタック編を施した編地である。
【００４５】
タック編・鹿の子編・添え糸編地２８は、タック編及び鹿の子編をなす地編糸に他の編糸（ウーリーナイロン糸）を添えて給糸し、地編糸を表面に、ウーリーナイロン糸を裏面に現すように地編糸とともにウーリーナイロン糸を編み込んだ編地である。
【００４６】
メッシュ編地２９は、生地を編成するときに、一時ある編み目を作らないで、次のコースを編むときに一緒に編み目を作り、メッシュ形態の編みでよく伸びる編地である。
リブ編地３０は、たて方向に表目のウェールと裏目のウェールとが交互に並ぶ編み目で、この第１の実施形態においては、１ウェールごとに表目と裏目とを配列した１×１の編地である。
【００４７】
平編・パイル風クッション編地３１は、平編をなす地編糸に他の編糸（ウーリーナイロン糸）を添えて給糸し、地編糸を表面に、ウーリーナイロン糸を裏面に現すように地編糸とともにウーリーナイロン糸を編み込んだ編地であり、ウーリーナイロンを波型に交互に編み上げている。
【００４８】
つぎに、ソックス１の各構成部分に前述した各編地を対応させ、各編地による作用効果について説明する。
かかと部２ａ及び爪先部２ｂは、平編・パイル編地２０で編成している。このため、生地の内側（着用者の体表と接する面）にタオルのようなループ状の編み目を加えているために、かかと部２ａ及び爪先部２ｂに空気の層を作り出し、クッション性を高めている。また、ソックス１の着用者が靴を履いた場合には、靴からのストレスを緩和する緩衝材の役割を果たすとともに、吸水性に優れ、着用者の汗を吸い取る役割も果たす。
【００４９】
係止領域７は、着用者の中足骨及び／又は中足趾節関節に対応する部分を周回するように、第１の平編・添え糸編地２４と、第１の引き上げ支持領域５との共通部分であるタック編・第１の平編・添え糸編地２５とで編成している。この第１の平編・添え糸編地２４及びタック編・第１の平編・添え糸編地２５は、ゴム糸に加え、ウーリーナイロン糸を加えることで係止領域７の編地を補強し、第１の引き上げ支持領域５及び第２の引き上げ支持領域６に対するアンカー（錨）としての機能を持たせている。また、着用者の中足骨及び／又は中足趾節関節を適度に圧迫することで足指が開き、大地を掴むように安定した歩行を行なうことが可能となる。
【００５０】
また、第１の平編・添え糸編地２４は、着用者の足裏の足根部横アーチ及び前足部横アーチ間に横アーチを生じさせ、歩行時のクッションとなるとともに、着用者の踵から親指に重心が移動する理想的な体重移動の基盤となる。
【００５１】
ここで、理想的な体重移動とは、歩行時に、足裏での重心が、踵の後ろ外側から始まり、外足側を前方に移動して小指付け根の関節まで移動する。そこで内足側に方向を変え中足趾節関節の列に沿って親指付け根の関節まで移動する。そして、もう一度前方に方向を変え、親指の先で終わる体重移動（以下、３点歩行と称す）をいう。
【００５２】
なお、２点歩行は、歩行時の地面からの衝撃を足裏全体で受け止めてしまい、足の疲れを招くうえに、歩行時の圧力を部分的に受けるために、たこや魚の目の原因となる恐れがある。これに対し、３点歩行は、歩行時の地面からの衝撃を吸収する歩行で、着用者の脚の疲労を抑制することができる。
【００５３】
また、タック編・第１の平編・添え糸編地２５は、第１の引き上げ支持領域５のタック編と共通することで、係止領域７をタック編地２１に繋げる編地である。
口ゴム部４は、第２の平編・添え糸編地２６と、第１の引き上げ支持領域５との共通部分であるタック編・第２の平編・添え糸編地２７とで編成している。なお、口ゴム部４の内側（着用者の体表と接する面）は、ゴム糸を挿入しないことで、着用者の足首に当たる部分を柔軟にし、肌に優しい編地としている。
【００５４】
また、第２の平編・添え糸編地２６及びタック編・第２の平編・添え糸編地２７は、第１の引き上げ支持領域５及び第２の引き上げ支持領域６によって引き上げた部分を着用者の足首で固定する機能を持つ。また、着用者の足首の一番細い部分に口ゴム部４を当接させることで、第２の平編・添え糸編地２６及びタック編・第２の平編・添え糸編地２７が着用者の体表を圧迫した痕が付きにくく、着用者の脚に対する口ゴム部４による締付けを感じにくくさせる。
【００５５】
また、タック編・第２の平編・添え糸編地２７は、第１の引き上げ支持領域５のタック編と共通することで、口ゴム部４をタック編地２１に繋げる編地である。また、口ゴム部４を第２の平編・添え糸編地２６のみの編地とする場合に対して、タック編・第２の平編・添え糸編地２７を口ゴム部４に加えることで、着用者の足首に対する口ゴム部４による締付力の調節と、第１の引き上げ支持領域５からの引っ張りに対する口ゴム部４によるアンカー（錨）としての機能（ソックス１のずり下がり防止）の調節とを行なっている。
【００５６】
第１の引き上げ支持領域５は、口ゴム部４との共通部分であるタック編・第２の平編・添え糸編地２７と、係止領域７との共通部分であるタック編・第１の平編・添え糸編地２５と、タック編・第２の平編・添え糸編地２７及びタック編・第１の平編・添え糸編地２５間に延在する足甲部２ｃにおけるタック編地２１と、タック編・第１の平編・添え糸編地２５及び爪先部２ｂ間に存在する足甲部２ｃにおけるタック編・鹿の子編・添え糸編地２８とで編成している。
【００５７】
このタック編地２１は、足甲部２ｃに延在することで、爪先部２ｂを口ゴム部４に向けて引き上げる効果を奏し、幅方向Ｗ１に伸びを持たせることで、着用者に対して適度なサポート感を覚えさせる。
また、タック編・鹿の子編・添え糸編地２８は、第１の引き上げ支持領域５のタック編と共通することで、爪先部２ｂをタック編地２１に繋げる編地である。
【００５８】
第２の引き上げ支持領域６は、第１の平編・添え糸編地２４と足首背面側３ａとを結んで延在する足甲部２ｃの側部におけるタック編・添え糸編地２２と、第１の平編・添え糸編地２４と足首背面側３ａとを結んで延在する身部３における第１の鹿の子編・添え糸編地２３ａと、係止領域７の第１の平編・添え糸編地２４と、第１の平編・添え糸編地２４及び爪先部２ｂ間に存在する足甲部２ｃにおける第２の鹿の子編・添え糸編地２３ｂとで編成している。
【００５９】
このタック編・添え糸編地２２は、足甲部２ｃにおける係止領域７を口ゴム部４に向けて引き上げる効果を奏し、前述したタック編地２１にウーリーナイロン糸を加えることで第２の引き上げ支持領域６の編地を補強し、第２の引き上げ支持領域６による引き上げ感を高めている。
【００６０】
また、身部３における第２の引き上げ支持領域６にタック編を用いると、第２の引き上げ支持領域６が長さ方向に伸びを生じる傾向がある。このため、身部３においては、第２の引き上げ支持領域６に第１の鹿の子編・添え糸編地２３ａを用いることで、タック編と比較して長さ方向の伸びを抑制し、第２の引き上げ支持領域６による爪先部２ｂを引き上げる効果を奏するうえで効果的である。また、ウーリーナイロン糸を加えることで第２の引き上げ支持領域６の編地を補強し、第２の引き上げ支持領域６による引き上げ感を高めている。また、ソックス１の着用者が靴を履いた場合には、身部３に対する靴からのストレスをウーリーナイロン糸がクッションとなり緩衝することができる。
【００６１】
ここで、係止領域７は爪先部２ｂに対して所定の間隔をもって配置しており、足甲部２ｃにおける、係止領域７と爪先部２ｂとの間の領域は、前述したタック編・鹿の子編・添え糸編地２８と第２の鹿の子編・添え糸編地２３ｂとにより編成して構成している。これにより、中足趾節関節より爪先側に対応する部分の周方向の締め付けを防止することで、中足趾節関節より爪先側の締め付けによる足指の開きを阻害することがない。また、係止領域７と爪先部２ｂとの間の領域は、第１の引き上げ支持領域５のタック編地２１並びに第２の引き上げ支持領域６のタック編・添え糸編地２２及び第１の鹿の子編・添え糸編地２３ａからの引き上げる力を爪先部２ｂに伝達することができる。また、係止領域７と爪先部２ｂとの間の領域は爪先部２ｂに最も近い部位であり、長手方向の伸びを抑制することで、着用者の指先を引き上げる効果を確実に作用させることが可能となる。
【００６２】
着用者の足の土踏まずに対応する土踏まず部８は、平編・パイル風クッション編地３１で編成している。この平編・パイル風クッション編地３１は、着用者の土踏まずを横切るアーチの形成をサポートし、足底のクッション性を高め、安定した歩行を行ないやすくする。また、着用者の足裏の末梢を刺激して、新陳代謝が促進され、着用者の体温の上昇が期待できる。また、平編・パイル風クッション編地３１は、波型に交互に編み上げて、地編糸の平編部分から隆起して形成されることから、着用者の土踏まず部分の凹部を確実に当接支持し、着用感を向上させると共に、足の疲れを未然に防止することができる。
【００６３】
口ゴム部４と第１の引き上げ支持領域５と第２の引き上げ支持領域６とに囲まれたメッシュ領域９は、メッシュ編地２９で編成している。このメッシュ編地２９は、通気性がよい編組織であり、着用者の足首に近く、着用者の靴の種類によっては、靴に触れることなく外気に接することで、ソックス１内のドライ感による快適性を向上することができる。
【００６４】
かかと部２ａと第２の引き上げ支持領域６とに囲まれた第１の領域１０ａ、かかと部２ａと第２の引き上げ支持領域６と係止領域７と土踏まず部８とに囲まれた第２の領域１０ｂ、及び足底部２ｄにおいて爪先部２ｂと係止領域７とに囲まれた第３の領域１０ｃは、リブ編地３０で編成している。このリブ編地３０は、着用者の足に対するサポート力はありながら、横の伸びがしっかり有り、快適なフィット性が得られる。また、長さ方向の伸びを無くした第１の引き上げ支持領域５及び第２の引き上げ支持領域６に対して、長さ方向の伸びを有し、着用者の足の動きに柔軟に対応することができる。
【００６５】
また、第３の領域１０ｃは爪先部２ｂに最も近い部位であり、長手方向の伸びを大きくすることで、着用者の指先の上向き移動を促進し、着用者の指先を引き上げる効果を確実に作用させることが可能となる。
【００６６】
なお、この第１の実施形態においては、平編、タック編、メッシュ編及びリブ編に用いられる地編糸として、綿５０％とエステル５０％とで配合され、太さ３０デニール、撚り本数１本及び編み本数２本からなる表糸、太さ３０デニールのポリウレタンの芯糸と太さ７５デニールのエステルの巻き糸とからなるカバーリング・ヤーンである裏糸を用いているが、この材質に限られるものではなく、表糸として、綿、毛(カシミヤ、ラム、アンゴラなど)、絹若しくは麻などの天然繊維、アクリルなどの化学繊維、又は吸汗、速乾若しくは体温調整機能を持つ素材などを、ソックス１のコスト又は着用者のニーズに合わせて選択することが好ましい。また、裏糸として、ナイロン若しくはＦＴＹ、又は抗菌、防臭若しくは消臭素材を、ソックス１のコスト又は着用者のニーズに合わせて選択することが好ましい。
【００６７】
また、第２の鹿の子編・添え糸編地２３ｂ及びタック編・鹿の子編・添え糸編地２８におけるウーリーナイロン糸は、太さ１００デニール、撚り本数２本及び編み本数３本からなる。
また、タック編・添え糸編地２２、第１の鹿の子編・添え糸編地２３ａ、第１の平編・添え糸編地２４、タック編・第１の平編・添え糸編地２５、第２の平編・添え糸編地２６、タック編・第２の平編・添え糸編地２７及び平編・パイル風クッション編地３１におけるウーリーナイロン糸は、太さ１００デニール、撚り本数２本及び編み本数２本からなる。
【００６８】
また、第１の平編・添え糸編地２４、タック編・第１の平編・添え糸編地２５、第２の平編・添え糸編地２６及びタック編・第２の平編・添え糸編地２７におけるゴム糸は、太さ２６０デニールのポリエーテル系の芯糸と太さ７５デニールのエステルの巻き糸とからなるカバーリング・ヤーンである。
【００６９】
この第１の実施形態に係るソックス１においては、第１の引き上げ支持領域５及び第２の引き上げ支持領域６の編地を、タック編や鹿の子編によって編み目数を変化させ、また添え糸編によって編地を補強することで、長さ方向の伸びが幅方向の伸びと比較して小さくなるように編成し構成しているが、ポリエステル系、ポリアミド系、ポリウレタン系、ポリエチレン系（高密度、低密度）又はエチレン酢酸ビニル系などの種類の樹脂を含浸させた糸によって、第１の引き上げ支持領域５及び／又は第２の引き上げ支持領域６の編地を編成し構成することで、タック編、鹿の子編又は添え糸編による編組織を用いることなく、足甲部２ｃの長さ方向の伸長率を縮小させることができ、同様の作用効果を奏することができる。
【００７０】
また、第１の引き上げ支持領域５及び／又は第２の引き上げ支持領域６の編地に、伸びを防ぐための細幅の布地などでできたテープ（以下、伸び止めテープと称す）を縫付けることや、セロファン又はビニールなどのテープに接着剤を塗った粘着テープを貼り付けることでも、タック編、鹿の子編又は添え糸編による編組織を用いることなく、足甲部２ｃの長さ方向の伸長率を縮小させることができるうえに、前述した第２の引き上げ支持領域６における、足部２と身部３とにおいて長さ方向の伸びと幅方向の伸びとが異なってしまうという問題点を解決することができる。
【００７１】
また、第１の引き上げ支持領域５及び／又は第２の引き上げ支持領域６の編地に、液体の樹脂を塗り、樹脂が空気に触れ酸化して固着させることや、薄膜状の樹脂を取り付けることや、液体の樹脂を噴霧器などで吹着け、樹脂が空気に触れ酸化して固着させることでも、タック編、鹿の子編又は添え糸編による編組織を用いることなく、足甲部２ｃの長さ方向の伸長率を縮小させることができる。
【００７２】
第１の引き上げ支持領域５及び／又は第２の引き上げ支持領域６の編地を、接着剤を使用して樹脂加工を施す接着芯地としてもよい。この場合には、ポリエステル系、ポリアミド系、ポリウレタン系、ポリエチレン系（高密度、低密度）又はエチレン酢酸ビニル系などの種類の樹脂からなる接着樹脂を、ドット加工、パウダー加工、くもの巣加工又はフィルム加工などの加工方法によって、編地に塗布し、フラット型プレス機、ローラー型プレス機などによって加熱及び加圧処理を施すことで、編地に樹脂を固着させることができる。
【００７３】
以上のように、この第１の実施形態に係るソックス１においては、足甲部２ｃのコース方向の編み目数が足底部２ｄのコース方向の編み目数と比較して少なく編成して構成し、長さ方向の伸びを無くした第１の引き上げ支持領域５及び／又は第２の引き上げ支持領域６によって、爪先部２ｂを引き上げることで、着用者の足指の引き上げ感覚が生じ、歩行時の一歩が出しやすく、つまずきにくい。
【００７４】
また、着用者の足裏の横アーチを生じさせる係止領域７によって、着用者が意識せずに３点歩行を行ない、踵から外足、小指から親指という順に地面に足がつくことが実感でき、着用者の歩行姿勢が改善されることとなる。これに伴い、着用者の背筋が伸び、膝の痛みや腰の痛みも緩和される。
【００７５】
また、中足骨及び／又は中足趾節関節を適度に圧迫する係止領域７によって、着用者の指先が開き、足の捌きが改善され、大地を掴む感覚で安定した歩行を行なうことができる。また、外反母趾の予防としても期待できる。また、足指の開きは健康に関連し、足指が開いた状態で歩くことで、足指運動と同様の効果が期待でき、老化防止や痴呆防止の運動にもなる。
【００７６】
（本発明の第２の実施形態）
図４（ａ）はこの発明を実施するための第２の実施形態における左足用のソックスを左上側からみた斜視図、図４（ｂ）は図４（ａ）に示すソックスを左下側からみた斜視図である。図４において、図１乃至図３と同じ符号は、同一または相当部分を示し、その説明を省略する。
【００７７】
フート・ウェアは、足袋、くつ下及び脚胖に分類され、さらに、くつ下を大別すると、足部２のみからなるフートカバー類、口ゴム部４、身部３及び足部２の三部位からなるソックス類、身部３がソックス１よりも著しく長いストッキング類、並びに上部にパンティ部が付いたタイツ及びパンティ・ストッキング類に分類することができる。
すなわち、フート・ウェアは、足部２、必要に応じて身部３、口ゴム部４又は図示しないパンティ部を、適宜備えることで、それぞれの用途目的に合った足の衣服となる。
【００７８】
以下、この第２の実施形態においては、足部２、身部３及び口ゴム部４を備えたソックス１を例に挙げて説明するが、この三部位を備えたソックス１に限られるものではなく、少なくとも足部２を備えたくつ下であればよい。
ソックス１は、丸編により編成された筒状編地のうち着用者の踵及び爪先に対応する部分を縫製加工してソックス形状とする構成である。
【００７９】
足部２の足甲部２ｃには、足甲部２ｃにおける長さ方向Ｌ３の伸長率が、足底部２ｄにおける長さ方向Ｌ４の伸長率と比較して、小さくなるように、引き上げ支持領域１５が形成されている。
【００８０】
引き上げ支持領域１５は、ポリエステル系、ポリアミド系、ポリウレタン系、ポリエチレン系（高密度、低密度）又はエチレン酢酸ビニル系などの種類の樹脂を含浸させた糸によって、足甲部２ｃの編地を編成し構成することで、通常の糸による編地に対して、足甲部２ｃの長さ方向の伸長率を縮小させている。
【００８１】
なお、樹脂を含浸させた糸によって足甲部２ｃの編地を編成し構成する替わりに、引き上げ支持領域１５に対応する編地に、伸び止めテープを縫付け、粘着テープを貼着、又は樹脂を塗着、取着若しくは吹着けすることによっても、加工前の編地に対して、足甲部２ｃの長さ方向の伸長率を縮小させることができる。
【００８２】
また、この第２の実施形態においては、引き上げ支持領域１５を、足甲部２ｃの全領域に形成しているが、ソックス１を着用した足の指を足裏に対して引き上げることができるのであれば、足甲部２ｃの全領域に形成する必要はなく、ソックス１と足とのフィット性及びサポート性を考慮して、引き上げ支持領域１５の位置、形状及び大きさを適宜設定することが好ましい。
【００８３】
また、ソックス１を着用した足の指を足裏に対して引き上げる効果をさらに高めるのであれば、爪先部２ｂと口ゴム部４とを連結するように、足甲部２ｃ及び身部３に引き上げ支持領域１５を延在させてもよい。
【００８４】
以上のように、この第２の実施形態に係るソックス１においては、足部２の足甲部２ｃには、足甲部２ｃにおける長さ方向Ｌ３の伸長率が、足底部２ｄにおける長さ方向Ｌ４の伸長率と比較して、小さくなるように、引き上げ支持領域１５が形成されているので、第１の実施形態と同様の作用効果を奏することができる。
【００８５】
また、引き上げ支持領域１５は、樹脂を含浸させた糸によって足甲部２ｃの編地を編成、引き上げ支持領域１５に対応する編地に、伸び止めテープを縫付、粘着テープを貼着、又は樹脂を塗着、取着若しくは吹着けすることで、足甲部２ｃにおける長さ方向Ｌ３の伸長率を、足底部２ｄにおける長さ方向Ｌ４の伸長率と比較して、小さくすることができるので、第１の実施形態のように、編み目数を変化させたり、添え糸編によって編地を補強したりすることなく、容易に、第１の実施形態と同様の作用効果を奏することができる。
【００８６】
（本発明の第３の実施形態）
図５（ａ）はこの発明を実施するための第３の実施形態におけるフート・ウェアの一例を示した側面図、図５（ｂ）はこの発明を実施するための第３の実施形態におけるフート・ウェアの他の例を示した側面図である。図５において、図１乃至図４と同じ符号は、同一または相当部分を示し、その説明を省略する。
【００８７】
この第３の実施形態においては、フート・ウェアが丸編で編成されるものに限らないうえに、フート・ウェアの形状が異なるところのみが第１の実施形態及び第２の実施形態と異なるところであり、後述するフート・ウェアの形状による作用効果以外は、第１の実施形態及び第２の実施形態と同様の作用効果を奏する。
【００８８】
以下、この第３の実施形態においては、足部１０２、身部１０３及び口ゴム部１０４を備えたフート・ウェア１０１を例に挙げて説明するが、この三部位を備えたフート・ウェア１０１に限られるものではなく、少なくとも足部１０２を備えていればよい。
【００８９】
足部１０２は、着用者の足の踵に対応する部分のかかと部１０２ａと、着用者の足の爪先に対応する部分の爪先部１０２ｂと、着用者の足の甲に対応する部分の足甲部１０２ｃと、着用者の足の裏に対応する部分の足底部１０２ｄとを備えている。
【００９０】
図５（ａ）に示すように、着用状態のフート・ウェア１０１の形状が、足底部１０２ｄの長さ方向Ｌ４と爪先部１０２ｂの爪先方向Ｌ５とのなす角αが０°より大きく、８０°以下となるように、くつ下であれば丸編機で編んで構成され、足袋又は脚胖であれば機で織って構成される。
【００９１】
この場合に、編地が伸縮性を有するくつ下であれば、着用前に、なす角αが８０°より大きくなるようにフート・ウェア１０１を編んで構成し、着用者がフート・ウェア１０１を着用することで、なす角αが０°より大きく、８０°以下となるような編地であってもよい。また、織地が伸縮性をほとんど有しない足袋又は脚胖であれば、着用者がフート・ウェア１０１を着用する前から、なす角αが０°より大きく、８０°以下となるように、フート・ウェア１０１を織って構成する。
【００９２】
このなす角αの範囲については、なす角αが０°より大きいことにより、フート・ウェア１０１を着用した場合に、フート・ウェア１０１の形状に沿って着用者の足指を伸展させることができる。また、人の足指の中足趾節関節の関節可動域が、一般的に、伸展において、０°以上、８０°以下であるために、なす角αを８０°以下とすることで、中足趾節関節の関節可動域外に強制的に着用者の足指が伸展することを防止することができる。
【００９３】
なお、着用状態のフート・ウェア１０１の形状を、図５（ｂ）に示すように、身部１０３の長さ方向Ｌ６と足底部１０２ｄの長さ方向Ｌ４とのなす角βが７０°以上、９０°より小さくなるように、くつ下であれば丸編機で編んで構成し、足袋又は脚胖であれば機で織って構成してもよい。これにより、フート・ウェア１０１を着用した場合に、フート・ウェア１０１の形状に沿って着用者の足首を背屈させることができ、地面に対して爪先よりも先に踵が着地することになり、着用者の歩行時のつまずきを防止することができる。
【００９４】
この場合に、編地が伸縮性を有するくつ下であれば、着用前に、なす角βが７０°より小さくなるようにフート・ウェア１０１を編んで構成し、着用者がフート・ウェア１０１を着用することで、なす角βが７０°以上、９０°より小さくなるような編地であってもよい。また、織地が伸縮性をほとんど有しない足袋又は脚胖であれば、着用者がフート・ウェア１０１を着用する前から、なす角βが７０°以上、９０°より小さくなるように、フート・ウェア１０１を織って構成する。
【００９５】
このなす角βの範囲については、なす角βが９０°より小さいことにより、フート・ウェア１０１を着用した場合に、フート・ウェア１０１の形状に沿って着用者の足首を背屈させることができる。また、人の足首の関節可動域が、一般的に、背屈において、０°以上、２０°以下であるために、なす角βを７０°以上とすることで、足首の関節可動域外に強制的に着用者の足指が背屈することを防止することができる。
【００９６】
なお、図５においては、足底部１０２ｄの長さ方向Ｌ４と爪先部１０２ｂの爪先方向Ｌ５とのなす角がα、又は身部１０３の長さ方向Ｌ６と足底部１０２ｄの長さ方向Ｌ４とのなす角がβとなるように、フート・ウェア１０１をそれぞれの形状としているが、なす角αとなす角βとを備えた形状となるように、フート・ウェア１０１を構成してもよい。
【００９７】
また、この第３の実施形態においては、フート・ウェア１０１の形状のみによって、着用者の足指を伸展又は足首を背屈させ、爪先が地面に対して鋭角で着地することを抑制しているが、第１の実施形態及び第２の実施形態におけるソックス１において、この第３の実施形態におけるフート・ウェア１０１の形状を併用することで、更なる作用効果を期待することができる。
【実施例】
【００９８】
つぎに、第１の実施形態におけるソックス１の伸長特性について測定結果に基づいて説明する。図６は第１の実施形態におけるソックスの伸長特性を測定する測定部位を説明するための説明図、図７は第１の実施形態におけるソックスの伸長特性を示したグラフである。
【００９９】
ソックス１の伸長特性の測定には、引張試験機（株式会社島津製作所製、島津オートグラフ  ＡＧＳ−Ｈ形）を用いた。測定条件としては、引張速度を５．０ｍｍ／ｓｅｃ、最大荷重を２．０ｋｇｆとし、爪先部２ｂについてはつかみ長さを５．０ｃｍ、つかみ幅を８．０ｃｍ、口ゴム部４についてはつかみ長さを２．５ｃｍ、つかみ幅を５．０ｃｍ、そして、かかと部２ａについてはつかみ長さを３．０ｃｍ、つかみ幅を７．０ｃｍとした。
【０１００】
つぎに、測定方法について説明する。
測定部位１００は、爪先部２ｂと口ゴム部４との間の足甲部２ｃ、かかと部２ａと爪先部２ｂとの間の足底部２ｄ、並びに、かかと部２ａと口ゴム部４との間の身部３背面である背面部３ｂ、を対象としている。
【０１０１】
引張試験機は、一対の挟持部によって、爪先部２ｂ及び口ゴム部４、かかと部２ａ及び爪先部２ｂ、又は、かかと部２ａ及び口ゴム部４、をそれぞれ挟持して、ソックス１に一定の引張速度で引っ張り変形を加えた時の荷重と伸びを測定する。そして、得られた荷重−伸び曲線から、０．５ｋｇｆ、１．０ｋｇｆ、１．５ｋｇｆ及び２．０ｋｇｆ荷重時のそれぞれの伸長率を求めた。なお、引張試験機の挟持部による口ゴム部４の挟持部分は、足甲部２ｃの測定においては、口ゴム部４の前面側の部分であり、背面部３ｂの測定においては、口ゴム部４の背面側の部分である。
【０１０２】
測定結果を表１に示し、表１をもとに、伸長特性を示したグラフを図７に示す。なお、図７において、実線は足甲部２ｃにおける伸長率、破線は足底部２ｄにおける伸長率、二点鎖線は背面部３ｂにおける伸長率、をそれぞれ示している。また、伸長率ε［％］は、荷重を加えない状態の測定部位の長さをＬ0［ｍｍ］、荷重を加えた状態の測定部位の長さをＬ［ｍｍ］とすると、次式（１）によって、求められる。
【０１０３】
【数１】
2008031615.tif 000003
【０１０４】
【表１】
2008031615.tif 000004
【０１０５】
また、表１をもとに、足甲部２ｃの長さ方向の伸長率に対する足底部２ｄ又は背面部３ｂの長さ方向の伸長率の比を求めた結果を表２に示す。
【０１０６】
【表２】
2008031615.tif 000005
【０１０７】
図７に示すように、ソックス１の足甲部２ｃにおける長さ方向の伸長率は、足底部２ｄにおける長さ方向の伸長率と比較して、小さくなっており、足甲部２ｃの編地を足底部２ｄの編地と異ならせることによって、足甲部２ｃにおける長さ方向の伸びを抑制できたことがわかる。また、ソックス１の足甲部２ｃにおける長さ方向の伸長率は、背面部３ｂにおける長さ方向の伸長率と比較して、小さくなっており、足甲部２ｃの編地を背面部３ｂの編地と異ならせることによって、足甲部２ｃにおける長さ方向の伸びを抑制できたことがわかる。
【０１０８】
特に、０．５ｋｇｆ乃至２．０ｋｇｆの範囲の荷重を、測定部位１００である足甲部２ｃと、足底部２ｄ又は背面部３ｂとの長さ方向に加えた場合に、足甲部２ｃの長さ方向の伸長率が３．３６％乃至１２．７９％の範囲にあるのに対して、足底部２ｄの長さ方向の伸長率が８．００％乃至２３．８５％の範囲にあり、背面部３ｂの長さ方向の伸長率が１４．２５％乃至３６．３６％の範囲にあることがわかる。
【０１０９】
また、０．５ｋｇｆの荷重を、足甲部２ｃと足底部２ｄとの長さ方向に加えた場合に、足甲部２ｃの長さ方向の伸長率に対する足底部２ｄの長さ方向の伸長率の比は１．８以上であり、２．０以上であることが好ましい。また、２．０ｋｇｆの荷重を、足甲部２ｃと足底部２ｄとの長さ方向に加えた場合に、足甲部２ｃの長さ方向の伸長率に対する足底部２ｄの長さ方向の伸長率の比は１．５以上であり、１．８以上であることが好ましい。これらの範囲内にすることで、ソックス１を着用した足の指を足裏に対して引き上げる作用効果をより一層高めることができる。
【０１１０】
さらに、０．５ｋｇｆの荷重を、足甲部２ｃと背面部３ｂとの長さ方向に加えた場合に、足甲部２ｃの長さ方向の伸長率に対する背面部３ｂの長さ方向の伸長率の比は３．０以上であり、３．５以上であることが好ましく、４．０以上であることがより好ましい。また、２．０ｋｇｆの荷重を、足甲部２ｃと背面部３ｂとの長さ方向に加えた場合に、足甲部２ｃの長さ方向の伸長率に対する背面部３ｂの長さ方向の伸長率の比は１．５以上であり、２．０以上であることが好ましく、２．５以上であることがより好ましい。これらの範囲内にすることで、より効果的に、足首の関節可動域内において、着用者の足首を背屈させることができ、地面に対して爪先よりも先に踵を着地させることができる。
【０１１１】
以上のように、第１の実施形態におけるソックス１は、第１の引き上げ支持領域５及び／又は第２の引き上げ支持領域６の編地を、タック編や鹿の子編によって編み目数を変化させたり、添え糸編によって編地を補強したりすることにより、長さ方向の伸びが幅方向の伸びと比較して小さくなるように編成し構成したり、足甲部２ｃにおける長さ方向の伸長率を、足底部２ｄにおける長さ方向の伸長率と比較して、小さくしたりすることができるので、ソックス１を着用した足の指を足裏に対して引き上げる作用効果を奏する。
【０１１２】
また、第１の実施形態におけるソックス１は、足甲部２ｃにおける長さ方向の伸長率を、背面部３ｂにおける長さ方向の伸長率と比較して、小さくすることができるので、足底部２ｄと背面部３ｂとを一体として作用させ、ソックス１を着用した足の指を足裏に対して引き上げる作用効果をさらに高めることができる。
【図面の簡単な説明】
【０１１３】
【図１】この発明を実施するための第１の実施形態における右足用のソックスを右上側からみた右上側斜視図である。
【図２】この発明を実施するための第１の実施形態における左足用のソックスを右下側からみた右下側斜視図である。
【図３】図１に記載の右足用のソックスを着用した場合の作用効果を説明するための説明図である。
【図４】（ａ）はこの発明を実施するための第２の実施形態における左足用のソックスを左上側からみた斜視図、（ｂ）は図４（ａ）に示すソックスを左下側からみた斜視図である。
【図５】（ａ）はこの発明を実施するための第３の実施形態におけるフート・ウェアの一例を示した側面図、（ｂ）はこの発明を実施するための第３の実施形態におけるフート・ウェアの他の例を示した側面図である。
【図６】第１の実施形態におけるソックスの伸長特性を測定する測定部位を説明するための説明図である。
【図７】第１の実施形態におけるソックスの伸長特性を示したグラフである。
【符号の説明】
【０１１４】
１    ソックス
２    足部
２ａ  かかと部
２ｂ  爪先部
２ｃ  足甲部
２ｄ  足底部
３    身部
３ａ  足首背面側
４    口ゴム部
５    第１の引き上げ支持領域
６    第２の引き上げ支持領域
７    係止領域
８    土踏まず部
９    メッシュ領域
１０ａ  第１の領域
１０ｂ  第２の領域
１０ｃ  第３の領域
１５  引き上げ支持領域
２０  平編・パイル編地
２１  タック編地
２２  タック編・添え糸編地
２３ａ  第１の鹿の子編・添え糸編地
２３ｂ  第２の鹿の子編・添え糸編地
２４  第１の平編・添え糸編地
２５  タック編・第１の平編・添え糸編地
２６  第２の平編・添え糸編地
２７  タック編・第２の平編・添え糸編地
２８  タック編・鹿の子編・添え糸編地
２９  メッシュ編地
３０  リブ編地
３１  平編・パイル風クッション編地
１００    測定部位
１０１    フート・ウェア
１０２    足部
１０２ａ  かかと部
１０２ｂ  爪先部
１０２ｃ  足甲部
１０２ｄ  足底部
１０３    身部
１０４    口ゴム部
【図１】
2008031615.tif 000006
【図２】
2008031615.tif 000007
【図３】
2008031615.tif 000008
【図４】
2008031615.tif 000009
【図５】
2008031615.tif 000010
【図６】
2008031615.tif 000011
【図７】
2008031615.tif 000012